(57)【要約】【課題】データ伝送の効率を向上させるための、Ｓ１ハンドオーバ方法、Ｓ１ハンドオーバのデータ伝送方法及び移動通信システムを提供すること。【解決手段】本発明は、Ｓ１ハンドオーバ方法、Ｓ１ハンドオーバのデータ伝送方法及び移動通信システムを開示する。本発明の技術的スキームでは、ソース側モビリティ管理エンティティが、ハンドオーバ要求を受信した後、データ送信停止メッセージをソース側サービスゲートウェイに送信する。ソース側サービスゲートウェイが、データ送信停止のメッセージを受信した後、ソース側発展型基地局へのデータ送信を停止してデータをバッファリングする。ソース側モビリティ管理エンティティが、伝送再構成応答を受信した後、ソース側サービスゲートウェイと宛先側サービスゲートウェイとの間の伝送チャネルを構成する。ソース側サービスゲートウェイが、伝送チャネル及び宛先側サービスゲートウェイを介して、バッファリングされたデータを宛先側発展型基地局に伝送する。【選択図】図４
2013529866.tif 000002
【特許請求の範囲】
【請求項１】
Ｓ１ハンドオーバのデータ伝送方法であって、
ソース側モビリティ管理エンティティが、ハンドオーバ要求を受信した後、データ送信停止メッセージをソース側サービスゲートウェイに送信するステップと、
ソース側サービスゲートウェイが、データ送信停止メッセージを受信した後、ソース側発展型基地局へのデータ送信を停止し、データをバッファリングするステップと、
ソース側モビリティ管理エンティティが、伝送再構成応答を受信した後、ソース側サービスゲートウェイと宛先側サービスゲートウェイとの間の伝送チャネルを構成するステップと、
ソース側サービスゲートウェイが、伝送チャネル及び宛先側サービスゲートウェイを介して、バッファリングされたデータを宛先側発展型基地局に伝送するステップと
を含むことを特徴とするＳ１ハンドオーバのデータ伝送方法。
【請求項２】
前記ソース側モビリティ管理エンティティがハンドオーバ要求を受信するステップの前に、
ソース側発展型基地局が、ハンドオーバ要求をソース側モビリティ管理エンティティに送信し、ハンドオーバの開始をソース側モビリティ管理エンティティに通知するステップを更に含む
ことを特徴とする請求項１に記載のＳ１ハンドオーバのデータ伝送方法。
【請求項３】
前記ソース側モビリティ管理エンティティが伝送再構成応答を受信した後、ソース側サービスゲートウェイと宛先側サービスゲートウェイとの間の伝送チャネルを構成する前に、
ソース側モビリティ管理エンティティが、伝送再構成要求を宛先側モビリティ管理エンティティに送信するステップと、
宛先側モビリティ管理エンティティが、宛先側サービスゲートウェイとソース側サービスゲートウェイとの間の伝送チャネルを構成し、ハンドオーバ要求を宛先側発展型基地局に送信するステップと
を更に含むことを特徴とする請求項１に記載のＳ１ハンドオーバのデータ伝送方法。
【請求項４】
前記ハンドオーバ要求を宛先側発展型基地局に送信するステップの後、
宛先側発展型基地局が、伝送チャネルを構成した後、ハンドオーバ要求応答を宛先側モビリティ管理エンティティに送信するステップと、
宛先側モビリティ管理エンティティが、宛先側サービスゲートウェイと宛先側発展型基地局との間の伝送チャネルを構成し、伝送再構成応答をソース側モビリティ管理エンティティに送信するステップと
を更に含むことを特徴とする請求項３に記載のＳ１ハンドオーバのデータ伝送方法。
【請求項５】
Ｓ１ハンドオーバ方法であって、
ソース側モビリティ管理エンティティが、ハンドオーバ要求を受信した後、データ送信停止メッセージをソース側サービスゲートウェイに送信するステップと、
ソース側サービスゲートウェイが、データ送信停止メッセージを受信した後、ソース側発展型基地局へのデータ送信を停止し、データをバッファリングするステップと、
ソース側モビリティ管理エンティティが、伝送再構成応答を受信した後、ソース側サービスゲートウェイと宛先側サービスゲートウェイとの間の伝送チャネルを構成するステップと、
ソース側サービスゲートウェイが、伝送チャネル及び宛先側サービスゲートウェイを介して、バッファリングされたデータを宛先側発展型基地局に伝送するステップと
を含むことを特徴とするＳ１ハンドオーバ方法。
【請求項６】
前記ソース側サービスゲートウェイが、伝送チャネル及び宛先側サービスゲートウェイを介して、バッファリングされたデータを宛先側発展型基地局に伝送するステップの後、
ユーザ端末が、宛先側発展型基地局へアクセスし、ハンドオーバ確認を宛先側発展型基地局に送信するステップと、
宛先側発展型基地局が、ハンドオーバ通知を宛先側モビリティ管理エンティティに送信するステップと
を更に含むことを特徴とする請求項５に記載のＳ１ハンドオーバ方法。
【請求項７】
ソース側モビリティ管理エンティティと、ソース側サービスゲートウェイと、ソース側発展型基地局と、宛先側サービスゲートウェイと、宛先側発展型基地局とを含む移動通信システムであって、
前記ソース側モビリティ管理エンティティは、ハンドオーバ要求を受信した後、データ送信停止メッセージをソース側サービスゲートウェイに送信し、
前記ソース側サービスゲートウェイは、データ送信停止メッセージを受信した後、ソース側発展型基地局へのデータ送信を停止し、データをバッファリングし、
前記ソース側モビリティ管理エンティティは、伝送再構成応答を受信した後、ソース側サービスゲートウェイと宛先側サービスゲートウェイとの間の伝送チャネルを構成し、
前記ソース側サービスゲートウェイは、伝送チャネル及び宛先側サービスゲートウェイを介して、バッファリングされたデータを宛先側発展型基地局に伝送する
ことを特徴とする移動通信システム。
【請求項８】
前記ソース側発展型基地局は、更に、ハンドオーバ要求をソース側モビリティ管理エンティティに送信し、ハンドオーバの開始をソース側モビリティ管理エンティティに通知する
ことを特徴とする請求項７に記載の移動通信システム。
【請求項９】
前記移動通信システムは、宛先側モビリティ管理エンティティを更に含み、
前記ソース側モビリティ管理エンティティは、更に、伝送再構成要求を宛先側モビリティ管理エンティティに送信し、
前記宛先側モビリティ管理エンティティは、更に、宛先側サービスゲートウェイとソース側サービスゲートウェイとの間の伝送チャネルを構成し、ハンドオーバ要求を宛先側発展型基地局に送信する
ことを特徴とする請求項７に記載の移動通信システム。
【請求項１０】
前記宛先側発展型基地局は、更に、伝送チャネルを構成した後、ハンドオーバ要求応答を宛先側モビリティ管理エンティティに送信し、
前記宛先側モビリティ管理エンティティは、更に、宛先側サービスゲートウェイと宛先側発展型基地局との間の伝送チャネルを構成し、伝送再構成応答をソース側モビリティ管理エンティティに送信する
ことを特徴とする請求項９に記載の移動通信システム。
【発明の詳細な説明】
【技術分野】
【０００１】
本発明は、移動通信技術分野に関し、特にＳ１ハンドオーバ方法、Ｓ１ハンドオーバのデータ伝送方法及び移動通信システムに関する。
【背景技術】
【０００２】
Ｓ１ハンドオーバは、移動通信システムにおいてユーザ端末（Ｕｓｅｒ  Ｅｑｕｉｐｍｅｎｔ：ＵＥ）の移動性を保証する基本プロセスであり、ユーザ端末が異なる移動通信システム間で移動するときの、ユーザサービスの連続性を保証することができる。
【０００３】
従来のＳ１ハンドオーバプロセスでは、一般的にデータの伝送を行う必要がある。具体的には、このデータ伝送プロセスでは、ソース側発展型基地局（Ｅ−ＵＲＴＡＮ  ＮｏｄｅＢ：ｅＮＢ）が、ユーザ端末へのデータ送信を停止し、パケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）バッファ領域に記憶されたデータ及びＳ１インターフェイスから送信されたデータを宛先側発展型基地局に伝送する。図１は、ソース側発展型基地局がＰＤＣＰバッファ領域に記憶されたデータを宛先側発展基地局に伝送するときの様子を示す図であり、図２は、ソース側発展型基地局がＳ１インターフェイスから送信されたデータを宛先側発展基地局に伝送するときの様子を示す図である。図１において、ＰＤＣＰバッファ領域に記憶されたデータが、伝送チャネルを介してソース側サービスゲートウェイ（Ｓｅｒｖｉｎｇ  Ｇａｔｅｗａｙ：Ｓ−ＧＷ）に伝送される（Ｓ１１）。ソース側サービスゲートウェイは、データを伝送チャネルを介して宛先側サービスゲートウェイに伝送し（Ｓ１２）、宛先側サービスゲートウェイは、データを伝送チャネルを介して宛先側発展型基地局に伝送する（Ｓ１３）。図２において、パケットデータネットワークゲートウェイ（ＰＤＮ  Ｇａｔｅｗａｙ：Ｐ−ＧＷ）は、データをソース側サービスゲートウェイに送信し（Ｓ２１）、ソース側サービスゲートウェイは、Ｓ１インターフェイスを介してデータをソース側発展型基地局に送信する（Ｓ２２）。ソース側発展型基地局は、データを伝送チャネルを介してソース側サービスゲートウェイに伝送し（Ｓ２３）、ソース側サービスゲートウェイは、データを伝送チャネルを介して宛先側サービスゲートウェイに伝送する（Ｓ２４）。宛先側サービスゲートウェイは、データを伝送チャネルを介して宛先側発展型基地局に伝送する（Ｓ２５）。
【０００４】
上記のデータ伝送プロセスから分かるように、従来のＳ１ハンドオーバにおけるデータ伝送プロセスは、より複雑であるため、データ伝送効率の向上に不利である。
【発明の概要】
【発明が解決しようとする課題】
【０００５】
これを鑑みて、本発明の主要な目的は、データ伝送の効率を向上させるための、Ｓ１ハンドオーバ方法、Ｓ１ハンドオーバのデータ伝送方法及び移動通信システムを提供することにある。
【課題を解決するための手段】
【０００６】
上記の技術的問題を解決するために、本発明の技術的スキームは、以下のように実現される。
【０００７】
本発明に係るＳ１ハンドオーバのデータ伝送方法は、ソース側モビリティ管理エンティティが、ハンドオーバ要求を受信した後、データ送信停止メッセージをソース側サービスゲートウェイに送信するステップと、ソース側サービスゲートウェイが、データ送信停止メッセージを受信した後、ソース側発展型基地局へのデータ送信を停止し、データをバッファリングするステップと、ソース側モビリティ管理エンティティが、伝送再構成応答を受信した後、ソース側サービスゲートウェイと宛先側サービスゲートウェイとの間の伝送チャネルを構成するステップと、ソース側サービスゲートウェイが、伝送チャネル及び宛先側サービスゲートウェイを介して、バッファリングされたデータを宛先側発展型基地局に伝送するステップとを含む。
【０００８】
前記ソース側モビリティ管理エンティティがハンドオーバ要求を受信するステップの前に、ソース側発展型基地局が、ハンドオーバ要求をソース側モビリティ管理エンティティに送信し、ハンドオーバの開始をソース側モビリティ管理エンティティに通知するステップを更に含んでいてもよい。
【０００９】
前記ソース側モビリティ管理エンティティが伝送再構成応答を受信した後、ソース側サービスゲートウェイと宛先側サービスゲートウェイとの間の伝送チャネルを構成する前に、ソース側モビリティ管理エンティティが、伝送再構成要求を宛先側モビリティ管理エンティティに送信するステップと、宛先側モビリティ管理エンティティが、宛先側サービスゲートウェイとソース側サービスゲートウェイとの間の伝送チャネルを構成し、ハンドオーバ要求を宛先側発展型基地局に送信するステップとを更に含んでいてもよい。
【００１０】
前記ハンドオーバ要求を宛先側発展型基地局に送信するステップの後、宛先側発展型基地局が、伝送チャネルを構成した後、ハンドオーバ要求応答を宛先側モビリティ管理エンティティに送信するステップと、宛先側モビリティ管理エンティティが、宛先側サービスゲートウェイと宛先側発展型基地局との間の伝送チャネルを構成し、伝送再構成応答をソース側モビリティ管理エンティティに送信するステップとを更に含んでいてもよい。
【００１１】
本発明は、Ｓ１ハンドオーバ方法をさらに開示する。
この方法は、ソース側モビリティ管理エンティティが、ハンドオーバ要求を受信した後、データ送信停止メッセージをソース側サービスゲートウェイに送信するステップと、ソース側サービスゲートウェイが、データ送信停止メッセージを受信した後、ソース側発展型基地局へのデータ送信を停止し、データをバッファリングするステップと、ソース側モビリティ管理エンティティが、伝送再構成応答を受信した後、ソース側サービスゲートウェイと宛先側サービスゲートウェイとの間の伝送チャネルを構成するステップと、ソース側サービスゲートウェイが、伝送チャネル及び宛先側サービスゲートウェイを介して、バッファリングされたデータを宛先側発展型基地局に伝送するステップとを含む。
【００１２】
前記ソース側サービスゲートウェイが、伝送チャネル及び宛先側サービスゲートウェイを介して、バッファリングされたデータを宛先側発展型基地局に伝送するステップの後、ユーザ端末が、宛先側発展型基地局へアクセスし、ハンドオーバ確認を宛先側発展型基地局に送信するステップと、宛先側発展型基地局が、ハンドオーバ通知を宛先側モビリティ管理エンティティに送信するステップとを更に含んでいてもよい。
【００１３】
本発明は、移動通信システムをさらに開示する。この移動通信システムは、ソース側モビリティ管理エンティティと、ソース側サービスゲートウェイと、ソース側発展型基地局と、宛先側サービスゲートウェイと、宛先側発展型基地局とを含み、前記ソース側モビリティ管理エンティティは、ハンドオーバ要求を受信した後、データ送信停止メッセージをソース側サービスゲートウェイに送信し、前記ソース側サービスゲートウェイは、データ送信停止メッセージを受信した後、ソース側発展型基地局へのデータ送信を停止し、データをバッファリングし、前記ソース側モビリティ管理エンティティは、伝送再構成応答を受信した後、ソース側サービスゲートウェイと宛先側サービスゲートウェイとの間の伝送チャネルを構成し、前記ソース側サービスゲートウェイは、伝送チャネル及び宛先側サービスゲートウェイを介して、バッファリングされたデータを宛先側発展型基地局に伝送する。
【００１４】
前記ソース側発展型基地局は、更に、ハンドオーバ要求をソース側モビリティ管理エンティティに送信し、ハンドオーバの開始をソース側モビリティ管理エンティティに通知してもよい。
【００１５】
前記移動通信システムは、宛先側モビリティ管理エンティティを更に含み、前記ソース側モビリティ管理エンティティは、更に、伝送再構成要求を宛先側モビリティ管理エンティティに送信し、前記宛先側モビリティ管理エンティティは、更に、宛先側サービスゲートウェイとソース側サービスゲートウェイとの間の伝送チャネルを構成し、ハンドオーバ要求を宛先側発展型基地局に送信してもよい。
【００１６】
前記宛先側発展型基地局は、更に、伝送チャネルを構成した後、ハンドオーバ要求応答を宛先側モビリティ管理エンティティに送信し、前記宛先側モビリティ管理エンティティは、更に、宛先側サービスゲートウェイと宛先側発展型基地局との間の伝送チャネルを構成し、伝送再構成応答をソース側モビリティ管理エンティティに送信してもよい。
【００１７】
本発明のスキームによれば、ソース側モビリティ管理エンティティ及びソース側サービスゲートウェイが、ハンドオーバ情報を予め取得することができ、データをソース側発展型基地局に送信し続ける必要がない。これにより、ソース側発展型基地局からソース側サービスゲートウェイまでのデータ再伝送プロセスが低減され、ソース側発展型基地局とソース側サービスゲートウェイとの間の伝送に対するチャネル確立・チャネルリリースのリソースが節約され、データ伝送の効率が向上される。
【図面の簡単な説明】
【００１８】
【図１】ソース側発展型基地局がＰＤＣＰバッファ領域に記憶されたデータを宛先側発展型基地局に伝送するときの様子を示す図である。
【図２】ソース側発展型基地局がＳ１インターフェイスから送信されたデータを宛先側発展型基地局に伝送するときの様子を示す図である。
【図３】本発明の一実施形態に係る移動通信システムの構成を示す図である。
【図４】本発明の一実施形態に係るＳ１ハンドオーバのデータ伝送方法のフローチャートである。
【図５ａ】本発明の一実施形態に係るＳ１ハンドオーバ方法のフローチャートである。
【図５ｂ】本発明の一実施形態に係るＳ１ハンドオーバ方法のフローチャートである。
【発明を実施するための形態】
【００１９】
図面を参照しながら、実施形態と組み合わせて、本発明の目的の実現方法、本発明の機能的特徴及び利点を更に説明する。
【００２０】
本発明の全体的な技術的スキームは、以下の様なものである。ソース側モビリティ管理エンティティ（Ｍｏｂｉｌｉｔｙ  Ｍａｎａｇｅｍｅｎｔ  Ｅｎｔｉｔｙ：ＭＭＥ）が、ハンドオーバ要求（Ｈａｎｄｏｖｅｒ  Ｒｅｑｕｉｒｅｄ）を受信した後、データ送信停止メッセージをソース側サービスゲートウェイに送信する。ソース側サービスゲートウェイが、データ送信停止メッセージを受信した後、ソース側発展型基地局へのデータ送信を停止してデータをバッファリングする。ソース側モビリティ管理エンティティが、伝送再構成応答を受信した後、ソース側サービスゲートウェイと宛先側サービスゲートウェイとの間の伝送チャネルを構成する。ソース側サービスゲートウェイが、伝送チャネル及び宛先側サービスゲートウェイを介して、バッファリングされたデータを宛先側発展型基地局に伝送する。以下、図面及び具体的な実施形態を組み合わせながら本発明の技術的スキームを更に説明する。
【００２１】
図３は、本発明の一実施形態に係る移動通信システムの構成を示す図である。本実施形態に係る移動通信システムは、ソース側モビリティ管理エンティティ３２０と、宛先側モビリティ管理エンティティ３３０と、ソース側サービスゲートウェイ３１０と、ソース側発展型基地局３００と、宛先側サービスゲートウェイ３４０と、宛先側発展型基地局３５０とを含む。
【００２２】
ソース側モビリティ管理エンティティ３２０は、ハンドオーバ要求を受信した後、データ送信停止メッセージをソース側サービスゲートウェイ３１０に送信する。ソース側サービスゲートウェイ３１０は、データ送信停止メッセージを受信した後、ソース側発展型基地局３００へのデータ送信を停止してデータをバッファリングする。ソース側モビリティ管理エンティティ３２０は、伝送再構成応答を受信した後、ソース側サービスゲートウェイ３１０と宛先側サービスゲートウェイ３４０との間の伝送チャネルを構成する。ソース側サービスゲートウェイ３１０は、伝送チャネルと宛先側サービスゲートウェイを介して、バッファリングされたデータを宛先側発展型基地局３５０に伝送する。
【００２３】
本発明の別の実施形態では、ソース側発展型基地局３００は、ハンドオーバ要求をソース側モビリティ管理エンティティ３２０に送信し、ハンドオーバの開始をソース側モビリティ管理エンティティ３２０に通知する。
【００２４】
ソース側モビリティ管理エンティティ３２０は、伝送再構成要求（Ｆｏｒｗａｒｄ  Ｒｅｌｏｃａｔｉｏｎ  Ｒｅｑｕｅｓｔ）を宛先側モビリティ管理エンティティ３２０に送信する。宛先側モビリティ管理エンティティ３３０は、宛先側サービスゲートウェイ３４０とソース側サービスゲートウェイ３１０との間の伝送チャネルを構成し、ハンドオーバ要求を宛先側発展型基地局３５０に送信する。
【００２５】
宛先側発展基地局３５０は、更に、伝送チャネルを構成した後、ハンドオーバ要求応答（Ｈａｎｄｏｖｅｒ  Ｒｅｑｕｅｓｔ  Ａｃｋｎｏｗｌｅｄｇｅ）を宛先側モビリティ管理エンティティ３３０に送信する。宛先側モビリティ管理エンティティ３３０は、更に、宛先側サービスゲートウェイ３４０と宛先側発展型基地局３５０との間の伝送チャネルを構成して、伝送再構成応答（Ｆｏｒｗａｒｄ  Ｒｅｌｏｃａｔｉｏｎ  Ｒｅｓｐｏｎｓｅ）をソース側モビリティ管理エンティティ３２０に送信する。
【００２６】
図４は、本発明の一実施形態に係るＳ１ハンドオーバのデータ伝送方法のフローチャートである。本実施形態では、ソース側発展型基地局３００が測定レポートに応じてハンドオーバ条件を満たすと判定した場合、以下のようなプロセスに進む。
【００２７】
ステップ４０１において、ソース側発展型基地局３００は、ハンドオーバ要求をソース側モビリティ管理エンティティ３２０に送信し、ハンドオーバの開始をソース側モビリティ管理エンティティ３２０に通知する。
【００２８】
ステップ４０２において、ソース側モビリティ管理エンティティ３２０は、ハンドオーバ要求を受信した後、データ送信停止メッセージをソース側サービスゲートウェイ３１０に送信する。
【００２９】
ステップ４０３において、ソース側サービスゲートウェイ３１０は、データ送信停止メッセージを受信した後、ソース側発展型基地局３００へのデータ送信を停止してデータをバッファリングする。
【００３０】
ステップ４０４において、ソース側モビリティ管理エンティティ３２０は、伝送再構成要求を宛先側モビリティ管理エンティティ３３０に送信する。
【００３１】
ステップ４０５において、宛先側モビリティ管理エンティティ３３０は、伝送再構成要求を受信した後、宛先側サービスゲートウェイ３４０とソース側サービスゲートウェイ３１０との間の伝送チャネルを構成し、ハンドオーバ要求を宛先側発展型基地局３５０に送信する。
【００３２】
ステップ４０６において、宛先側発展型基地局３５０は、ハンドオーバ要求を受信した後、伝送チャネルを構成し、ハンドオーバ要求応答を宛先側モビリティ管理エンティティ３３０に送信する。
【００３３】
ステップ４０７において、宛先側モビリティ管理エンティティ３３０は、ハンドオーバ要求応答を受信した後、宛先側サービスゲートウェイ３４０と宛先側発展型基地局３５０との間の伝送チャネルを構成し、伝送再構成応答をソース側モビリティ管理エンティティ３２０に送信する。
【００３４】
ステップ４０８において、ソース側モビリティ管理エンティティ３２０は、伝送再構成応答を受信した後、ソース側サービスゲートウェイ３１０と宛先側サービスゲートウェイ３４０との間の伝送チャネルを構成する。
【００３５】
ステップ４０９において、ソース側サービスゲートウェイ３１０は、伝送チャネル及び宛先側サービスゲートウェイ３４０を介して、バッファリングされたデータを宛先側発展型基地局３５０に伝送する。本実施形態では、ソース側サービスゲートウェイ３１０が、伝送チャネルを介して、バッファリングされたデータを宛先側サービスゲートウェイ３４０に伝送した後、宛先側サービスゲートウェイ３４０が、バッファされたデータを宛先側発展型基地局３５０に更に伝送する。
【００３６】
図５ａ及び図５ｂは、本発明の一実施形態に係るＳ１ハンドオーバ方法のフローチャートである。この方法は、以下のステップを含む。
【００３７】
ステップ５０１において、ソース側発展型基地局３００は、ユーザ端末から送信された測定レポートに応じてハンドオーバ判定を行う。具体的には、ユーザ端末は、測定レポートをソース側発展型基地局３００に送信し、ソース側発展型基地局３００は、測定レポートに応じて別の発展型基地局を、ハンドオーバされる宛先側発展型基地局３５０として選択する。ソース側発展型基地局３００は、測定レポートに応じてハンドオーバ条件を満たすと判定した場合、ステップ５０２に進む。
【００３８】
ステップ５０２において、ソース側発展型基地局３００は、ハンドオーバ要求をソース側モビリティ管理エンティティ３２０に送信し、ハンドオーバの開始をソース側モビリティ管理エンティティ３２０に通知する。
【００３９】
ステップ５０３において、ソース側モビリティ管理エンティティ３２０は、ハンドオーバ要求を受信した後、データ送信停止メッセージをソース側サービスゲートウェイ３１０に送信する。
【００４０】
ステップ５０４において、ソース側サービスゲートウェイ３１０は、データ送信停止メッセージを受信した後、ソース側発展型基地局３００へのデータ送信を停止してデータをバッファリングする。
【００４１】
ステップ５０５において、ソース側モビリティ管理エンティティ３２０は、伝送再構成要求を宛先側モビリティ管理エンティティ３３０に送信する。
【００４２】
ステップ５０６において、宛先側モビリティ管理エンティティ３３０は、伝送再構成要求を受信した後、宛先側サービスゲートウェイ３４０とソース側サービスゲートウェイ３１０との間の伝送チャネルを構成し、ハンドオーバ要求を宛先側発展型基地局３５０に送信する。
【００４３】
ステップ５０７において、宛先側発展型基地局３５０は、ハンドオーバ要求を受信した後、伝送チャネルを構成し、ハンドオーバ要求応答を宛先側モビリティ管理エンティティ３３０に送信する。
【００４４】
ステップ５０８において、宛先側モビリティ管理エンティティ３３０は、ハンドオーバ要求応答を受信した後、宛先側サービスゲートウェイ３４０と宛先側発展型基地局３５０との間の伝送チャネルを構成し、伝送再構成応答をソース側モビリティ管理エンティティ３２０に送信する。
【００４５】
ステップ５０９において、ソース側モビリティ管理エンティティ３２０は、伝送再構成応答を受信した後、ソース側サービスゲートウェイ３１０と宛先側サービスゲートウェイ３４０との間の伝送チャネルを構成する。
【００４６】
ステップ５１０において、ソース側サービスゲートウェイ３１０は、伝送チャネル及び宛先側サービスゲートウェイ３４０を介して、バッファリングされたデータを宛先側発展型基地局３５０に伝送する。本実施形態では、ソース側サービスゲートウェイ３１０が、伝送チャネルを介して、バッファリングされたデータを宛先側サービスゲートウェイ３４０に伝送する。その後、宛先側サービスゲートウェイ３４０が、バッファリングされたデータを宛先側発展型基地局３５０に更に伝送する。
【００４７】
ステップ５１１において、ユーザ端末は、宛先側発展型基地局３５０へアクセスし、ハンドオーバ確認（Ｈａｎｄｏｖｅｒ  Ｃｏｎｆｉｒｍ）を宛先側発展型基地局３５０に送信する。
【００４８】
ステップ５１２において、宛先側発展型基地局３５０は、ハンドオーバ確認を受信した後、ハンドオーバ通知（Ｈａｎｄｏｖｅｒ  Ｎｏｔｉｆｙ）を宛先側モビリティ管理エンティティ３３０に送信する。
【００４９】
ステップ５１３において、宛先側モビリティ管理エンティティ３３０は、ハンドオーバ通知を受信した後、伝送再構成完了通知（Ｆｏｒｗａｒｄ  Ｒｅｌｏｃａｔｉｏｎ  Ｃｏｍｐｌｅｔｅ  Ｎｏｔｉｆｉｃａｔｉｏｎ）をソース側モビリティ管理エンティティ３２０に送信する。ソース側モビリティ管理エンティティ３２０は、伝送再構成完了通知を受信した後、第１のタイマーを始動させる。
【００５０】
ステップ５１４において、ソース側モビリティ管理エンティティ３２０は、伝送再構成完了応答（Ｆｏｒｗａｒｄ  Ｒｅｌｏｃａｔｉｏｎ  Ｃｏｍｐｌｅｔｅ  Ａｃｋｎｏｗｌｅｄｇｅ）を宛先側モビリティ管理エンティティ３３０に返す。宛先側モビリティ管理エンティティ３３０は、伝送再構成完了応答を受信した後、第２のタイマーを始動させる。
【００５１】
ステップ５１５において、ソース側モビリティ管理エンティティ３２０は、コンテキストリリースコマンド（ＵＥ  Ｃｏｎｔｅｘｔ  Ｒｅｌｅａｓｅ  Ｃｏｍｍａｎｄ）をソース側発展型基地局３００に送信する。
【００５２】
ステップ５１６において、ソース側発展型基地局３００は、コンテキストリリースコマンドを受信した後、コンテキストリリース応答（ＵＥ  Ｃｏｎｔｅｘｔ  Ｒｅｌｅａｓｅ  Ｃｏｍｐｌｅｔｅ）をソース側モビリティ管理エンティティ３２０に返す。
【００５３】
ステップ５１７において、第１のタイマーがタイムアウトした後、ソース側モビリティ管理エンティティ３２０は、ソース側サービスゲートウェイ３１０と宛先側サービスゲートウェイ３４０との間の伝送チャネルをリリースする。また、ソース側モビリティ管理エンティティ３２０は、ソース側サービスゲートウェイ３１０とソース側発展型基地局３００との間の伝送チャネルをリリースする。
【００５４】
ステップ５１８において、第２のタイマーがタイムアウトした後、宛先側モビリティ管理エンティティ３３０は、宛先側サービスゲートウェイ３４０とソース側サービスゲートウェイ３１０との間の伝送チャネルをリリースする。また、宛先側モビリティ管理エンティティ３３０は、宛先側サービスゲートウェイ３４０と宛先側発展型基地局３５０との間の伝送チャネルをリリースする。このステップに至るまでに、全体のＳ１ハンドオーバプロセスは既に完了している。
【００５５】
本発明に係るソース側モビリティ管理エンティティ３２０及びソース側サービスゲートウェイ３１０は、ハンドオーバ情報を予め取得することができ、データをソース側発展型基地局３５０に送信し続ける必要がない。これにより、ソース側発展型基地局３００から宛先側発展型基地局３５０までのデータ伝送プロセスが低減され、ソース側発展型基地局３００とソース側サービスゲートウェイ３１０との間の伝送に対するチャネル確立・チャネルリリースのリソースが節約される。
【００５６】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【図１】
2013529866.tif 000003
【図２】
2013529866.tif 000004
【図３】
2013529866.tif 000005
【図４】
2013529866.tif 000006
【図５ａ】
2013529866.tif 000007
【図５ｂ】
2013529866.tif 000008
【国際調査報告】
2013529866.tif 000009
2013529866.tif 000010
2013529866.tif 000011
2013529866.tif 000012